(57)【要約】 【課題】  居住空間の快適性や演出性を高めるとともにリラクゼーションの手段としても利用する。【解決手段】 本発明に係る室内空間構造は、上階である二階の床３１に下階空間３３に連通する開口３２を設け、該開口３２に水槽３６を設置してある。水槽３６は、その底部３４を透明材料としての透明アクリル板で構成し、その内部には水３５を満たしてなる。そして、底部３４は、下階空間３３に露出するように開口３２に配置されている。【選択図】  図４
2008106605.tif 000002
【特許請求の範囲】
【請求項１】
上階の床に下階空間に連通する開口を設け、底部が透明材料で構成された水槽を前記底部が前記下階空間に露出するように前記開口に配置したことを特徴とする室内空間構造。
【請求項２】
前記水槽をスプリンクラー設備に接続した請求項１記載の室内空間構造。
【請求項３】
前記水槽に浄化装置、空気供給装置及び温度調整装置を接続した請求項１記載の室内空間構造。
【請求項４】
前記水槽内に造波機構を設けた請求項１記載の室内空間構造。
【発明の詳細な説明】
【技術分野】
【０００１】
本発明は、主として住宅における室内空間構造に関する。
【背景技術】
【０００２】
最近の住宅設計においては、居住空間の快適性をいかにして高めるかが大きなテーマになっており、中庭や屋外テラスを室内空間と一体化させたり、アーチ状の屋根にトップライトを取り付けたりといったさまざまな工夫が設計に採り入れられている。
【０００３】
【特許文献１】特開昭６０−２２８３８５号公報
【特許文献２】実開平６−１５２１０号公報
【特許文献３】特公昭４５−３５６４０号公報
【発明の開示】
【発明が解決しようとする課題】
【０００４】
ここで、室内照明が居住空間の快適性や演出性にどの程度寄与できるのかを考えて見れば、白熱灯か蛍光灯かといった光源の種類や輝度、直接、間接、半間接かといった照明方式などに変化を持たせることで居住空間を演出するのがせいぜいであり、室内照明をくつろぎや安らぎあるいは安堵感といったリラクゼーションを目的として積極的に利用することは従来全く考えられていなかった。
【課題を解決するための手段】
【０００５】
本発明は、上述した事情を考慮してなされたもので、居住空間の快適性や演出性を高めるとともにリラクゼーションの手段としても利用可能な室内空間構造を提供することを目的とする。
【０００６】
上記目的を達成するため、本発明に係る室内空間構造は請求項１に記載したように、上階の床に下階空間に連通する開口を設け、底部が透明材料で構成された水槽を前記底部が前記下階空間に露出するように前記開口に配置したものである。
【０００７】
また、本発明の室内空間構造は、前記水槽をスプリンクラー設備に接続したものである。
【０００８】
また、本発明の室内空間構造は、前記水槽に浄化装置、空気供給装置及び温度調整装置を接続したものである。
【０００９】
また、本発明の室内空間構造は、前記水槽内に造波機構を設けたものである。
【００１０】
本発明の室内空間構造においては、上階の人工照明光あるいは天窓等を介して上階に差し込んだ自然光（日光や月明かり）が水槽内に満たされた水を通してその底部から下階空間へと放射される。そして、水面には、室内の自然対流や窓からの通風によって常時わずかながら波が生じており、かかる波が下階空間に放射される光にゆらぎを与える。そのため、下階には、変化に富んだ柔らかな光が放射されることとなり、一般的な室内照明設備とは異なる雰囲気が醸し出される。
【００１１】
一方、上階においては、水面で反射した光は、上述した波によって天井面にゆらぎながら映し出されるとともに、水の流れや水音によって快適性が向上し、さらに、水遊びの場としても利用することが可能となる。
【００１２】
水槽は、例えば全体を透明アクリル板で構成することができる。
【００１３】
ここで、前記水槽をスプリンクラー設備に接続したならば、該水槽を防火水槽とすることが可能となる。
【００１４】
また、前記水槽に浄化装置、空気供給装置及び温度調整装置を接続したならば、水槽内を魚等の飼育空間にすることが可能となる。
【００１５】
本発明の室内空間構造において下階に放たれる光は、上述したように、室内空気の自然対流等によってゆらぎが与えられるが、吹き抜けがなくて対流が生じにくい、窓を閉めているために通風がない等の理由で水面に波が立ちにくい場合、前記水槽の水面に波を発生させる造波機構を設けるようにすれば、下階に放たれる光に確実にゆらぎを与えることが可能となる。
【００１６】
造波機構としては、例えば攪拌スクリューと該スクリューに連結された電動モータ、水面に風を送る送風ファン、水面に入れた状態で揺動可能な攪拌板等で構成することができる。
【発明を実施するための最良の形態】
【００１７】
以下、本発明の実施の形態について、添付図面を参照して説明する。
【００１８】
（第１実施形態）
【００１９】
図１は、第１実施形態に係る室内照明設備を示した断面図である。同図でわかるように、本実施形態の室内照明設備１は、天井面２に固定される枠体３に照明装置としての蛍光灯４を多数配設するとともに、その下方に液体としての水５が満たされた液体容器６を枠体３の側壁８に取り付けてある。
【００２０】
液体容器６は、例えば厚さ数ｃｍとし、その室内側容器壁体７を含めて全体を透明材料としての透明アクリル板で構成してあり、照明装置４は、該室内側容器壁体と反対側に位置する液体容器６の上方に配置してあり、ちょうど室内側容器壁体７との間に水５を挟み込む位置となっている。
【００２１】
一方、液体容器６と照明装置４との間には、光は通すが見通すことはできない不透明透光性材料としてのアクリル板９を配置してある。アクリル板９は、例えばブルー系の色から適宜選択するのがよい。
【００２２】
枠体３の側壁８には、メンテナンス用開口１０を形成して該開口に扉１１を回動自在に取り付けてある。
【００２３】
かかる室内照明設備１は、例えば、２ｍ×１ｍ程度の大きさに製作しておき、これらを所望の数だけ互いに隣接させて天井面に設置すればよい。
【００２４】
本実施形態の室内照明設備１においては、照明装置４から出た光が液体容器６内に満たされた水５を通してその室内側容器壁体７から室内に放射される。そして、液体容器６内の水５は、照明装置４からの熱によって該容器内を対流し、かかる対流によって室内に放射される光にゆらぎが与えられる。
【００２５】
以上説明したように、本実施形態に係る室内照明設備１によれば、照明装置４から出た光が液体容器６内に満たされた水５を通る際、該水の対流によってゆらぎが与えられ、かかる状態で室内に放射されるので、本実施形態の室内照明設備１から放たれる光は、変化に富んだ柔らかな光となり、光と影が織りなす縞模様を床面に形成するなど、一般的な室内照明設備とは異なる雰囲気を室内に醸し出す。
【００２６】
また、照明装置４からの光が対流する水５を通過することでゆらぎながら見えることとなり、室内から天井を見上げれば、あたかも海中にいるかのごとき雰囲気を味わうことができる。
【００２７】
また、本実施形態によれば、照明装置４を液体容器６の内部ではなく、室内側容器壁体７と反対側に位置する液体容器６の近傍に配置するとともに、照明装置４を保持する枠体３の側壁８にメンテナンス用開口１０を形成したので、照明装置４は、一般的な照明装置、例えば白熱灯や蛍光灯を使用することが可能となるとともに、メンテナンス用開口１０を介した照明装置４の交換や修理を随時行うことが可能となる。
【００２８】
また、液体容器６と照明装置４との間に不透明透光性材料であるアクリル板９を配置するようにしたので、照明装置４を室内から隠すことができるとともに、該透光性材料の色彩を特にブルー系のものから選択したので、室内は、あたかも海中にいるかのような雰囲気となる。
【００２９】
本実施形態では、室内照明設備１を天井面に配置するようにしたが、これを壁面や床面に配置するようにしてもよい。
【００３０】
また、本実施形態では、室内照明設備１を天井面から突出するような格好で取り付けるものとしたが、これに代えて図２に示すような室内照明設備２１としてもよい。かかる室内照明設備２１は、枠体２２のフランジ２３を天井面２に取り付けることで該設備を天井面に埋設した状態で取り付けることができる。
【００３１】
かかる構成によれば、室内側容器壁体７が天井面２と面一となり、室内から見上げた場合に海中にいるかのごとき雰囲気をさらに高めることができる。
【００３２】
なお、かかる変形例においても、室内照明設備２１を天井面のみならず、壁面や床面に埋設してもよいことは言うまでもない。
【００３３】
また、本実施形態では、液体容器６内の水５の対流によって放射される光にゆらぎを与えるようにしたが、発熱の少ない高効率の照明装置を使用するような場合、その他対流が生じにくい場合、図３(a)に示すように、流れ発生機構としての攪拌スクリュー２４及び該スクリューに連結された電動モータ２５を液体容器６内に設けるようにしてもよい。かかる構成によれば、室内に放たれる光に確実にゆらぎを与えることが可能となる。
【００３４】
また、本実施形態では、液体容器６内に水５を完全に満たすものとしたが、かかる状態で水の流れを発生させても透過光に大きなゆらぎを与えられない場合には、図３(b)に示すように、液体容器６内に水面が形成されるように水５の量を適宜減らすとともに、上述した攪拌スクリュー２４及び該スクリューに連結された電動モータ２５を造波機構とし、該造波機構で水面を波を発生させるようにすれば、室内に放たれる光に確実にかつ大きなゆらぎを与えることが可能となる。なお、かかる構成においては、その使用部位を天井面とするのが好ましい。
【００３５】
（第２実施形態）
【００３６】
図４は、第２実施形態に係る室内空間構造を示した断面図、図５は同じく全体斜視図である。これらの図でわかるように、本実施形態に係る室内空間構造は、上階である二階の床３１に下階空間３３に連通する開口３２を設け、該開口３２に水槽３６を設置してある。
【００３７】
水槽３６は、その底部３４を透明材料としての透明アクリル板で構成し、その内部に水３５を満たしてなる。そして、底部３４は、下階空間３３に露出するように開口３２に配置されている。
【００３８】
本実施形態の室内空間構造においては、二階の人工照明光あるいは天窓３７を介して二階に差し込んだ日光や月明かりが水槽３６内に満たされた水３５を通してその底部３４から下階空間３３へと放射される。そして、水３５の水面には、室内の自然対流や窓３８から流れ込む風によって常時わずかながら波が生じており、かかる波が下階空間３３に放射される光にゆらぎを与える。そのため、下階である一階には、変化に富んだ柔らかな光３９が放射されることとなり、一般的な室内照明設備とは異なる雰囲気が醸し出される。
【００３９】
一方、二階においては、水面で反射された光が、上述した波によって天井面４０にゆらぎながら映し出され、やはり一般的な室内照明設備とは異なる雰囲気が醸し出される。
【００４０】
以上説明したように、本実施形態に係る室内空間構造によれば、二階の光が水槽３６内に満たされた水３５を通してその底部３４から下階空間３３へと放射される際、水３５の水面に生じた波によってゆらぎが与えられる。そのため、一階では、変化に富んだ柔らかな光３９が放射されることとなり、光と影が織りなす縞模様が床面に形成されるなど、一般的な室内照明設備とは異なる雰囲気が醸し出される。
【００４１】
また、一階から水槽３６の底部３４を見上げれば、天窓３７等から差し込んだ光が水３５を通過することでゆらぎながら見えることとなり、あたかも海中にいるかのごとき雰囲気を味わうことができる。特に、底部３４の透明材料にブルー系の着色を施せば、かかる作用効果をより高めることが可能となる。
【００４２】
また、二階においては、水面で反射された光がゆらぎながら天井面４０に映し出されるので、やはり一般的な室内照明設備とは異なる雰囲気が醸し出されるとともに、水槽３６の水面が露出しているため、水の波紋や流れを直接見ることが可能となり、かかる水の動きや表情を眺めていれば、それだけで視覚的なリラクゼーションとなる。
【００４３】
また、やはり水槽３６の水面が露出しているため、適当な方法で水音を発生させることによって、聴覚を介したリラクゼーション効果も期待できる。なお、水音を発生させるには、例えば水車小屋や噴水の模型を設置するといった方法が考えられる。また、水槽３６の水面が露出していることによって、さらに、子供が水遊び、例えば船遊びをすることができるという効果も奏する。
【００４４】
また、本実施形態によれば、底部３４を透明材料で構成してあるので、水槽３６をのぞき込む子供と、一階でくつろぐ親とが視覚を通してコミュニケーションを図るといった効果も期待することができる。
【００４５】
本実施形態では、室内における空気の対流及び窓３８からの通風によって水面を波立たせるようにしたが、空気の対流のみでよいのであれば、窓３８は不要である。
【００４６】
一方、空気の対流や窓からの通風といった自然の気流のみでは、水槽３６に満たした水３５の水面を波立たせることができない場合には、水槽３６の水面に波を発生させる造波機構を設けるようにしてもよい。
【００４７】
造波機構としては、例えば図３に示したものと同様の攪拌スクリューと該スクリューに連結された電動モータで構成することができるし、水面に風を送る送風ファンで構成することもできる。
【００４８】
図６は、揺動自在に水槽３６に取り付けられた造波板４２と、該造波板を揺動させるレバー４３とからなる造波機構４４を示したものである。かかる造波機構４４によれば、一階に放たれる光に確実にゆらぎを与えることが可能となる。なお、造波操作によって水音や水の流れが発生して上述したようなリラクゼーション効果を高めたり、造波操作を行う行為自体が子供にとって遊びとなり、また、波の伝播に関する学習ともなるという副次的な効果も期待できる。
【００４９】
また、本実施形態では特に言及しなかったが、水面が露出することによって室内の湿度が上がることが考えられる。したがって、湿気が心配な場合には、必要に応じて換気を行うようにすればよい。
【００５０】
また、本実施形態では特に言及しなかったが、水槽３６をスプリンクラー設備に接続したならば、該水槽を防火水槽とすることが可能となる。
【００５１】
また、水槽３６に浄化装置、空気供給装置及び温度調整装置を接続したならば、水槽３６内を魚等の飼育空間にすることが可能となる。
【図面の簡単な説明】
【００５２】
【図１】第１実施形態に係る室内照明設備の図であり、(a)は断面図、(b)は(a)のＡ―Ａ線に沿う断面図。
【図２】変形例に係る室内照明設備の図であり、(a)は断面図、(b)は(a)のＢ―Ｂ線に沿う断面図。
【図３】別の変形例に係る室内照明設備の断面図。
【図４】第２実施形態に係る室内空間構造の断面図。
【図５】同じく第２実施形態に係る室内空間構造の斜視図。
【図６】変形例に係る室内空間構造の斜視図。
【符号の説明】
【００５３】
１                        室内照明設備
２                        天井
４                        照明装置
５                        水（液体）
６                        液体容器
７                        室内側容器壁体
９                        不透明の透光性材料
１０                      メンテナンス用開口
２４                      攪拌スクリュー（流れ発生機構、造波機構）
２５                      電動モータ（流れ発生機構、造波機構）
３１                      二階の床（上階の床）
３２                      下階に連通する開口
３３                      一階空間（下階空間）
３４                      底部
３５                      水
３６                      水槽
４２                      造波板（造波機構）
４３                      レバー（造波機構）
４４                      造波機構
【図１】
2008106605.tif 000003
【図２】
2008106605.tif 000004
【図３】
2008106605.tif 000005
【図４】
2008106605.tif 000006
【図５】
2008106605.tif 000007
【図６】
2008106605.tif 000008